【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
鋳造工場の鋳型製造装置における鋳造を支援する鋳造支援システムであって、
前記鋳造工場の鋳型製造装置と、
前記鋳型製造装置と第１通信網を介して接続されるサーバ装置と、
前記サーバ装置と第２通信網を介して接続される各前記鋳造工場のユーザ端末と、を備え、
前記鋳型製造装置は、
耐火性粒子、粘結剤、および硬化剤を用いて鋳型を製造する装置であり、
前記耐火性粒子の温度を取得する温度取得手段と、
前記硬化剤または前記粘結剤の組成および供給量の少なくとも一方を、各前記鋳造工場の前記耐火性粒子の温度を含む条件に応じて調整する制御手段と、
を有し、
前記サーバ装置は、
前記鋳造工場の前記鋳型製造装置から鋳造に関する情報を受信して蓄積する情報蓄積手段と、
蓄積された前記情報を用いて、鋳造を支援する情報およびサービスを前記鋳造工場の前記ユーザ端末に提供する情報提供手段と、
を有し、
前記鋳型製造装置は、さらに、
前記耐火性粒子に添加される前記粘結剤、または前記硬化剤の供給量の計測値を取得する供給量取得手段を有し、
前記サーバ装置は、さらに、
前記各鋳造工場の前記鋳型製造装置の各設備の動作状態を示す動作状態情報を取得する動作状態取得手段と、
取得した前記動作状態情報と、前記硬化剤および前記粘結剤の少なくとも一方の供給量の前記計測値を元に、前記鋳型製造装置の各設備の稼働時間および前記供給量の計測値をそれぞれ積算する積算手段と、を有し、
前記サーバ装置の前記情報提供手段は、前記鋳型製造装置の各設備の稼働時間の積算値に関する情報、前記供給量の計測値の積算値に関する情報、および前記耐火性粒子の温度に関する情報、のうち少なくともいずれか一つを提供する、鋳造支援システム。
【請求項２】
請求項１に記載の鋳造支援システムにおいて、
前記サーバ装置は、さらに、
前記稼働時間の積算値に基づいて、前記各設備のメンテナンス時期を予測する予測手段と、
前記メンテナンス時期を前記ユーザ端末に通知する通知手段と、を有する鋳造支援システム。
【請求項３】
請求項１または２に記載の鋳造支援システムにおいて、
前記鋳型製造装置の前記供給量取得手段は、
前記硬化剤を供給する配管の外部から非接触で前記硬化剤の流量を計測するクランプオン式流量計である鋳造支援システム。
【請求項４】
請求項１から３のいずれか一項に記載の鋳造支援システムにおいて、
前記サーバ装置は、さらに、
前記鋳造工場の気温および製造する鋳型に関する情報を含む製造条件を受け付けると、前記製造条件に応じて、前記耐火性粒子に添加される前記硬化剤または前記粘結剤の組成および供給量の少なくとも一方の推奨情報を生成する生成手段をさらに備え、
前記サーバ装置の前記情報提供手段は、前記推奨情報を当該鋳造工場の前記ユーザ端末に提供する、鋳造支援システム。
【請求項５】
請求項４に記載の鋳造支援システムにおいて、
前記サーバ装置の前記生成手段は、
前記粘結剤の種類、製造される鋳型の形状、前記鋳型の硬化速度、前記耐火性粒子の温度、前記耐火性粒子のうち、再生砂の割合、前記耐火性粒子の酸消費量、並びに、前記鋳造工場の環境温度および湿度のうち少なくともいずれか一つを示す情報を受け付け、受け付けた前記情報に応じて、前記推奨情報を更新する、鋳造支援システム。
【請求項６】
請求項１から５のいずれか一項に記載の鋳造支援システムにおいて、
前記サーバ装置は、
前記鋳造工場の前記鋳型製造装置から取得した各設備の情報に基づいて、アラームを検出し、当該鋳造工場の前記ユーザ端末に報知する報知手段をさらに有する鋳造支援システム。
【請求項７】
請求項１から６のいずれか一項に記載の鋳造支援システムにおいて、
前記鋳型製造装置は、
前記各設備のアラーム情報または異常情報を前記サーバ装置に送信する送信手段をさらに備え、
前記サーバ装置は、
前記鋳型製造装置から前記各設備の前記アラーム情報または前記異常情報を受信すると、前記サーバ装置の担当者が当該アラーム情報または異常情報を確認し、前記サーバ装置の前記担当者が確認したことを当該鋳型製造装置の前記鋳造工場の担当者に通知する通知手段をさらに備える鋳造支援システム。
【請求項８】
請求項１から７のいずれか一項に記載の鋳造支援システムにおいて、
前記サーバ装置は、
前記鋳造工場毎に、受信する前記情報の公開制限レベルを設定し、当該公開制限レベルに基づいて、前記鋳造工場毎に、前記情報提供手段により前記ユーザ端末に提供される情報またはサービスを制限する制限手段をさらに有する、鋳造支援システム。
【請求項９】
請求項１から８のいずれか一項に記載の鋳造支援システムにおいて、
前記サーバ装置に前記第２通信網を介して接続されるオペレータ端末をさらに備え、
前記サーバ装置の前記情報提供手段は、前記鋳造を支援する情報およびサービスに関する情報を前記オペレータ端末に前記第２通信網を介して提供する、鋳造支援システム。
【請求項１０】
請求項１から９のいずれか一項に記載の鋳造支援システムにおいて、
前記サーバ装置は、
前記蓄積された複数の前記鋳造工場の前記情報に対して統計処理を行う統計処理手段をさらに備え、
前記サーバ装置の前記情報提供手段は、前記統計処理後の情報を各前記鋳造工場の前記ユーザ端末に提供する、鋳造支援システム。
【請求項１１】
請求項１０に記載の鋳造支援システムにおいて、
前記サーバ装置の前記統計処理手段は、前記情報に含まれる少なくとも一つの項目が予め定められた条件を満たす複数の前記情報を抽出し、抽出した複数の前記情報に対して前記統計処理を行う、鋳造支援システム。
【請求項１２】
請求項１から１１のいずれか一項に記載の鋳造支援システムにおいて、
複数の前記鋳造工場の前記鋳型製造装置を備え、
前記サーバ装置は、複数の前記鋳造工場の前記鋳型製造装置と前記第１通信網を介して接続され、
前記サーバ装置の前記情報蓄積手段は、複数の前記鋳造工場の前記鋳型製造装置から受信した前記鋳造に関する情報を蓄積する、鋳造支援システム。
【請求項１３】
鋳造工場の鋳型製造装置を用いた鋳型の製造方法であって、請求項１から１２のいずれか一項に記載の鋳造支援システムを組み込んだ鋳型製造装置を用いた鋳型の製造方法。
【請求項１４】
請求項１３に記載の製造方法において、
前記鋳造工場の前記鋳型製造装置は、第１通信網を介してサーバ装置と接続され、
前記サーバ装置は、第２通信網を介して各前記鋳造工場のユーザ端末と接続され、
前記鋳型製造装置は、
耐火性粒子、粘結剤、および硬化剤を用いて鋳型を製造する装置であり、
前記鋳型製造装置が前記耐火性粒子の温度を取得する工程と、
前記鋳型製造装置が前記硬化剤または前記粘結剤の組成および供給量の少なくとも一方を、各前記鋳造工場の前記耐火性粒子の温度を含む条件に応じて調整する工程と、
前記サーバ装置が、前記鋳造工場の前記鋳型製造装置から各設備の各工程における動作状態を示す動作状態情報を受信して蓄積する工程と、
前記サーバ装置が、蓄積された前記情報を用いて、前記各設備の前記各工程における前記動作状態を監視し、アラーム又は異常を検出する工程と、
前記サーバ装置が、検出したアラーム又は異常の情報を前記ユーザ端末に送信する工程と、
前記ユーザ端末が、前記サーバ装置から前記アラーム又は異常の情報を受信し、オペレータに通知する工程と、を含む製造方法。
【請求項１５】
鋳造工場の鋳型製造装置における鋳造を支援する鋳造支援装置であって、
前記鋳造工場の前記鋳型製造装置と第１通信網を介して接続され、かつ、
前記鋳造工場のユーザが利用するユーザ端末と第２通信網を介して接続され、
前記鋳型製造装置から、前記鋳造工場の製造条件に応じて調整される、耐火性粒子に添加される硬化剤または粘結剤の組成および供給量の少なくとも一方、および前記製造条件を含む鋳型製造に関する鋳造情報を前記第１通信網を介して受信する受信手段と、
受信した前記鋳造情報を蓄積する情報蓄積手段と、
前記ユーザ端末に前記第２通信網を介して、蓄積された前記鋳造情報に基づくサービスを提供する提供手段と、を備え、
前記受信手段により受信される前記鋳造情報は、前記耐火性粒子に添加される前記粘結剤、または前記硬化剤の前記供給量の計測値を含み、
前記各鋳造工場の前記鋳型製造装置の各設備の動作状態を示す動作状態情報を取得する動作状態取得手段と、
取得した前記動作状態情報と、前記硬化剤および前記粘結剤の少なくとも一方の供給量の計測値を元に、前記鋳型製造装置の各設備の稼働時間および前記供給量の計測値をそれぞれ積算する積算手段と、をさらに備え、
前記提供手段は、前記鋳型製造装置の各設備の稼働時間の積算値に関する情報、前記供給量の計測値の積算値に関する情報、および前記耐火性粒子の温度に関する情報、のうち少なくともいずれか一つを提供する、鋳造支援装置。
【請求項１６】
請求項１５に記載の鋳造支援装置において、
前記稼働時間の積算値に基づいて、前記各設備のメンテナンス時期を予測する予測手段と、
前記メンテナンス時期を前記ユーザ端末に通知する通知手段と、をさらに備える鋳造支援装置。
【請求項１７】
鋳造工場の鋳型製造装置における鋳造を支援する鋳造支援装置の処理方法であって、
前記鋳造支援装置が、
前記鋳造工場の前記鋳型製造装置と第１通信網を介して接続され、
前記鋳造工場のユーザが利用するユーザ端末と第２通信網を介して接続され、
前記鋳型製造装置から、前記鋳造工場の製造条件に応じて調整される、耐火性粒子に添加される硬化剤または粘結剤の組成および供給量の少なくとも一方、および前記製造条件を含む鋳型製造に関する鋳造情報を前記第１通信網を介して受信し、
受信した前記鋳造情報を記憶装置に蓄積し、
前記ユーザ端末に前記第２通信網を介して、蓄積された前記鋳造情報に基づくサービスを提供し、
受信される前記鋳造情報は、前記耐火性粒子に添加される前記粘結剤、または前記硬化剤の供給量の計測値を含み、
前記鋳造支援装置が、さらに、
前記各鋳造工場の前記鋳型製造装置の各設備の動作状態を示す動作状態情報を取得し、
取得した前記動作状態情報と、前記硬化剤および前記粘結剤の少なくとも一方の供給量の計測値を元に、前記鋳型製造装置の各設備の稼働時間および前記供給量の計測値をそれぞれ積算し、
前記鋳型製造装置の各設備の稼働時間の積算値に関する情報、前記供給量の計測値の積算値に関する情報、および前記耐火性粒子の温度に関する情報、のうち少なくともいずれか一つを提供する、鋳造支援装置の処理方法。
【請求項１８】
請求項１７に記載の鋳造支援装置の処理方法において、
前記鋳造支援装置が、さらに、
前記稼働時間の積算値に基づいて、前記各設備のメンテナンス時期を予測し、
前記メンテナンス時期を前記ユーザ端末に通知する鋳造支援装置の処理方法。
【請求項１９】
鋳造工場の鋳型製造装置における鋳造を支援する鋳造支援装置が、
前記鋳造工場の前記鋳型製造装置と第１通信網を介して接続され、
前記鋳造工場のユーザが利用するユーザ端末と第２通信網を介して接続され、
前記鋳造支援装置を実現するコンピュータに、
前記鋳型製造装置から、前記鋳造工場の製造条件に応じて調整される、耐火性粒子に添加される硬化剤または粘結剤の組成および供給量の少なくとも一方、および前記製造条件を含む鋳型製造に関する鋳造情報を前記第１通信網を介して受信する手順、
受信した前記鋳造情報を記憶装置に蓄積する手順、
前記ユーザ端末に前記第２通信網を介して、蓄積された前記鋳造情報に基づくサービスを提供する手順、を実行させ、
受信される前記鋳造情報は、前記耐火性粒子に添加される前記粘結剤、または前記硬化剤の供給量の計測値を含み、
さらに、コンピュータに、
前記各鋳造工場の前記鋳型製造装置の各設備の動作状態を示す動作状態情報を取得する手順、
取得した前記動作状態情報と、前記硬化剤および前記粘結剤の少なくとも一方の供給量の計測値を元に、前記鋳型製造装置の各設備の稼働時間および前記供給量の計測値をそれぞれ積算する手順、
前記鋳型製造装置の各設備の稼働時間の積算値に関する情報、前記供給量の計測値の積算値に関する情報、および前記耐火性粒子の温度に関する情報、のうち少なくともいずれか一つを提供する手順、を実行させるためのプログラム。
【請求項２０】
請求項１９に記載のプログラムにおいて、
コンピュータに、さらに、
前記稼働時間の積算値に基づいて、前記各設備のメンテナンス時期を予測する手順、
前記メンテナンス時期を前記ユーザ端末に通知する手順、を実行させるためのプログラム。